(57)【要約】【課題】トランクスタイプの吸収性物品の脚筒部を容易に形成する。【解決手段】脚部シート部材４３の上部には、第１脚部シート部４３１の第１中央部４３１ａと第２脚部シート部４３２の第２中央部４３２ａが連続する連続部が設けられる。脚部シート部材４３は、第１脚部シート部４３１および第２脚部シート部４３２を２つ折りにし、第２脚部シート部４３２の２つの第２側部４３２ｂをそれぞれ幅方向に折り返すことにより形成される。脚部シート部材４３の第１側部４３１ｂは、第１スリット４１１および第２スリット４２１の幅方向の一方側に固定され、２つの第２側部４３２ｂは、第１スリット４１１および第２スリット４２１の幅方向の他方側に固定される。そして、第１シート部材５１の側縁部５１０と、第２シート部材５２の側縁部５２０とが互いに固定されることにより、一対の脚部開口を容易に形成することができる。【選択図】図１２
2015204864.tif 000002
【特許請求の範囲】
【請求項１】
吸収性物品の製造方法であって、
ａ）幅方向に延びる帯状のシート部材である脚部シート部材を準備する工程と、
ｂ）長手方向の一方側の端部と他方側の端部とを有する矩形シート状であり、前記幅方向の中央部に前記長手方向の前記他方側の端部から延びる第１スリットが設けられた第１シート部材を準備する工程と、
ｃ）矩形シート状であり、前記幅方向の中央部に前記長手方向の前記他方側の端部から延びる第２スリットが設けられた第２シート部材を準備する工程と、
ｄ）前記第１スリットと前記脚部シート部材と前記第２スリットとの前記長手方向の位置を合わせつつ、前記第１シート部材と前記第２シート部材との間に前記脚部シート部材を固定する工程と、
ｅ）前記第１シート部材の前記幅方向の両側の側縁部と前記第２シート部材の前記幅方向の両側の側縁部とを互いに固定して、前記長手方向の前記一方側に胴部開口を形成し、前記長手方向の前記他方側に一対の脚部開口を形成する工程と、
を備え、
前記ａ）工程が、
ａ１）前記幅方向に延びる帯状の第１脚部シート部と、前記幅方向に延びる帯状であり、前記第１脚部シート部に重なる第２脚部シート部とを有し、前記長手方向の前記一方側に、前記第１脚部シート部の前記幅方向の中央部である第１中央部と前記第２脚部シート部の前記幅方向の中央部である第２中央部とが連続する連続部を有し、前記第１中央部の前記幅方向の両側の部位である２つの第１側部が、前記第２脚部シート部と非連続であり、前記第２中央部の前記幅方向の両側の部位である２つの第２側部が、前記第１脚部シート部と非連続である中間部材を準備する工程と、
ａ２）前記中間部材を、前記第１中央部および前記第２中央部の前記幅方向の中央にて前記第１脚部シート部を内側にして前記幅方向に２つ折りにする工程と、
ａ３）前記第２脚部シート部の前記２つの第２側部をそれぞれ、前記幅方向に折り返すことにより前記脚部シート部材を形成する工程と、
を備え、
前記ｄ）工程において、
前記第１脚部シート部の前記２つの第１側部が、前記第１シート部材の前記第１スリットの前記幅方向の一方側、および、前記第２シート部材の前記第２スリットの前記幅方向の前記一方側に固定され、
前記第２脚部シート部の前記２つの第２側部が、前記第１シート部材の前記第１スリットの前記幅方向の他方側、および、前記第２シート部材の前記第２スリットの前記幅方向の前記他方側に固定されることを特徴とする吸収性物品の製造方法。
【請求項２】
請求項１に記載の吸収性物品の製造方法であって、
前記脚部シート部材が、伸縮シートであることを特徴とする吸収性物品の製造方法。
【請求項３】
請求項１または２に記載の吸収性物品の製造方法であって、
前記脚部シート部材が、前記第１スリットの前記長手方向の前記一方側の端部、および、前記第２スリットの前記長手方向の前記一方側の端部と重なることを特徴とする吸収性物品の製造方法。
【請求項４】
請求項１ないし３のいずれかに記載の吸収性物品の製造方法であって、
前記第１シート部材および前記第２シート部材が伸縮シートであることを特徴とする吸収性物品の製造方法。
【請求項５】
請求項１ないし４のいずれかに記載の吸収性物品の製造方法であって、
前記一対の脚部開口の前記幅方向の外側かつ前記長手方向の前記他方側に、前記第１シート部材と前記第２シート部材とが非連続な一対の外スリット部が設けられることを特徴とする吸収性物品の製造方法。
【請求項６】
請求項１ないし５のいずれかに記載の吸収性物品の製造方法であって、
前記脚部シート部材の前記長手方向の前記一方側のエッジが、前記幅方向の中央部において、前記長手方向の前記他方側に凸状に湾曲することを特徴とする吸収性物品の製造方法。
【請求項７】
上端に胴部開口を有し、下端に一対の脚部開口を有する吸収性物品であって、
矩形シート状であり、幅方向の中央部に下端部から上方に延びる第１スリットが設けられた第１外装シートと、
矩形シート状であり、前記幅方向の中央部に下端部から上方に延びる第２スリットが設けられ、前記幅方向の両側の側縁部が前記第１外装シートの前記幅方向の両側の側縁部に固定される第２外装シートと、
幅方向に延びる帯状のシート部材であり、前記第１スリットおよび前記第２スリットと上下方向の位置を合わせて前記第１外装シートと前記第２外装シートとの間に固定される脚部シート部材と、
を備え、
前記脚部シート部材が、
前記幅方向に延びる帯状の第１脚部シート部と、
前記幅方向に延びる帯状の第２脚部シート部と、
を備え、
前記脚部シート部材が幅方向に拡げられた状態において、前記脚部シート部材の上部に、前記第１脚部シート部の前記幅方向の中央部である第１中央部と前記第２脚部シート部の前記幅方向の中央部である第２中央部とが連続する連続部が設けられ、前記第１中央部の前記幅方向の両側の部位である２つの第１側部が、前記第２脚部シート部と非連続であり、前記第２中央部の前記幅方向の両側の部位である２つの第２側部が、前記第１脚部シート部と非連続であり、
前記幅方向に拡げられた前記第１脚部シート部および前記第２脚部シート部を、前記第１中央部および前記第２中央部の前記幅方向の中央にて前記第１脚部シート部を内側にして前記幅方向に２つ折りにし、さらに、前記第２脚部シート部の前記２つの第２側部をそれぞれ、前記幅方向に折り返すことにより前記脚部シート部材が形成され、
前記第１脚部シート部の前記２つの第１側部が、前記第１外装シートの前記第１スリットの前記幅方向の一方側、および、前記第２外装シートの前記第２スリットの前記幅方向の前記一方側に固定され、
前記第２脚部シート部の前記２つの第２側部が、前記第１外装シートの前記第１スリットの前記幅方向の他方側、および、前記第２外装シートの前記第２スリットの前記幅方向の前記他方側に固定されることを特徴とする吸収性物品。
【発明の詳細な説明】
【技術分野】
【０００１】
本発明は、吸収性物品およびその製造方法に関する。
【背景技術】
【０００２】
従来より、着用者からの排泄物を受ける吸収性物品として、パンツタイプの使い捨ておむつが利用されている。また、パンツタイプの使い捨ておむつの１つとして、特許文献１に開示されているトランクスタイプの使い捨ておむつ、すなわち、一対の垂下型脚部（脚筒部）を有する使い捨ておむつが知られている。
【０００３】
特許文献１にて開示されている使い捨ておむつの製造方法では、第１ウエブと第２ウエブとが積層された積層ウエブの幅方向中央部が切除されて股部開口が形成され、股部開口の縁部において第１ウエブと第２ウエブとが接合される。続いて、積層ウエブ上の股部開口近傍に吸収性組立体が配置される。そして、第１ウエブの幅方向の一方側の縁部が他方側の縁部に重なるように折り返され、第２ウエブの幅方向の他方側の縁部が一方側の縁部に重なるように折り返される。その後、第１ウエブの両側縁部と第２ウエブの両側縁部とが接合されることにより、トランクスタイプの使い捨ておむつが形成される。
【０００４】
特許文献２では、使い捨てのトランクスタイプパンツの製造方法が提案されている。当該製造方法では、着用者の腹側を覆う２枚の第１インナーシートと、着用者の左右両側に位置する一対のアウターシートと、着用者の背側を覆う２枚の第２インナーシートとを接合して筒状部材が形成される。そして、当該筒状部材の腹側および背側から股下部に突出する部位を、２枚の中間シートで左右から挟み、２枚の中間シートの上端部を接合することにより一対の脚部開口が形成される。
【先行技術文献】
【特許文献】
【０００５】
【特許文献１】特表２００７−５３５６２２号公報
【特許文献２】特開２０００−１７０００５号公報
【発明の概要】
【発明が解決しようとする課題】
【０００６】
ところで、特許文献１の製造方法では、第１ウエブおよび第２ウエブが折り返される際に、吸収性組立体の一部が股部開口を潜って積層ウエブの反対側へと移動する。このため、吸収性組立体の幅を大きくすることができない等、使い捨ておむつの各構成の大きさ等に関する選択の自由度、すなわち、設計の自由度が制限される。また、股部開口を形成するために切除した部位は廃棄するため、使い捨ておむつの製造コストが増大する。さらには、股部開口の縁部の接合部が、使い捨ておむつの幅方向の中央部に位置するため、胴部開口において着用者の腹および背に当該接合部が接して着用感を低下させるおそれがある。
【０００７】
また、特許文献２の製造方法では、トランクスタイプパンツの胴部開口および脚部開口を形成する際に多数のシートを接合する必要があるため、トランクスタイプパンツの製造が複雑化する。また、２枚の第１インナーシート同士の接合部、および、２枚の第２インナーシート同士の接合部が、使い捨ておむつの幅方向の中央部に位置するため、胴部開口において着用者の腹および背に当該接合部が接して着用感を低下させるおそれがある。
【０００８】
本発明は、上記課題に鑑みなされたものであり、トランクスタイプの吸収性物品の脚筒部を容易に形成することを目的としている。
【課題を解決するための手段】
【０００９】
請求項１に記載の発明は、吸収性物品の製造方法であって、ａ）幅方向に延びる帯状のシート部材である脚部シート部材を準備する工程と、ｂ）長手方向の一方側の端部と他方側の端部とを有する矩形シート状であり、前記幅方向の中央部に前記長手方向の前記他方側の端部から延びる第１スリットが設けられた第１シート部材を準備する工程と、ｃ）矩形シート状であり、前記幅方向の中央部に前記長手方向の前記他方側の端部から延びる第２スリットが設けられた第２シート部材を準備する工程と、ｄ）前記第１スリットと前記脚部シート部材と前記第２スリットとの前記長手方向の位置を合わせつつ、前記第１シート部材と前記第２シート部材との間に前記脚部シート部材を固定する工程と、ｅ）前記第１シート部材の前記幅方向の両側の側縁部と前記第２シート部材の前記幅方向の両側の側縁部とを互いに固定して、前記長手方向の前記一方側に胴部開口を形成し、前記長手方向の前記他方側に一対の脚部開口を形成する工程とを備え、前記ａ）工程が、ａ１）前記幅方向に延びる帯状の第１脚部シート部と、前記幅方向に延びる帯状であり、前記第１脚部シート部に重なる第２脚部シート部とを有し、前記長手方向の前記一方側に、前記第１脚部シート部の前記幅方向の中央部である第１中央部と前記第２脚部シート部の前記幅方向の中央部である第２中央部とが連続する連続部を有し、前記第１中央部の前記幅方向の両側の部位である２つの第１側部が、前記第２脚部シート部と非連続であり、前記第２中央部の前記幅方向の両側の部位である２つの第２側部が、前記第１脚部シート部と非連続である中間部材を準備する工程と、ａ２）前記中間部材を、前記第１中央部および前記第２中央部の前記幅方向の中央にて前記第１脚部シート部を内側にして前記幅方向に２つ折りにする工程と、ａ３）前記第２脚部シート部の前記２つの第２側部をそれぞれ、前記幅方向に折り返すことにより前記脚部シート部材を形成する工程とを備え、前記ｄ）工程において、前記第１脚部シート部の前記２つの第１側部が、前記第１シート部材の前記第１スリットの前記幅方向の一方側、および、前記第２シート部材の前記第２スリットの前記幅方向の前記一方側に固定され、前記第２脚部シート部の前記２つの第２側部が、前記第１シート部材の前記第１スリットの前記幅方向の他方側、および、前記第２シート部材の前記第２スリットの前記幅方向の前記他方側に固定される。
【００１０】
請求項２に記載の発明は、請求項１に記載の吸収性物品の製造方法であって、前記脚部シート部材が、伸縮シートである。
【００１１】
請求項３に記載の発明は、請求項１または２に記載の吸収性物品の製造方法であって、前記脚部シート部材が、前記第１スリットの前記長手方向の前記一方側の端部、および、前記第２スリットの前記長手方向の前記一方側の端部と重なる。
【００１２】
請求項４に記載の発明は、請求項１ないし３のいずれかに記載の吸収性物品の製造方法であって、前記第１シート部材および前記第２シート部材が伸縮シートである。
【００１３】
請求項５に記載の発明は、請求項１ないし４のいずれかに記載の吸収性物品の製造方法であって、前記一対の脚部開口の前記幅方向の外側かつ前記長手方向の前記他方側に、前記第１シート部材と前記第２シート部材とが非連続な一対の外スリット部が設けられる。
【００１４】
請求項６に記載の発明は、請求項１ないし５のいずれかに記載の吸収性物品の製造方法であって、前記脚部シート部材の前記長手方向の前記一方側のエッジが、前記幅方向の中央部において、前記長手方向の前記他方側に凸状に湾曲する。
【００１５】
請求項７に記載の発明は、上端に胴部開口を有し、下端に一対の脚部開口を有する吸収性物品であって、矩形シート状であり、幅方向の中央部に下端部から上方に延びる第１スリットが設けられた第１外装シートと、矩形シート状であり、前記幅方向の中央部に下端部から上方に延びる第２スリットが設けられ、前記幅方向の両側の側縁部が前記第１外装シートの前記幅方向の両側の側縁部に固定される第２外装シートと、幅方向に延びる帯状のシート部材であり、前記第１スリットおよび前記第２スリットと上下方向の位置を合わせて前記第１外装シートと前記第２外装シートとの間に固定される脚部シート部材とを備え、前記脚部シート部材が、前記幅方向に延びる帯状の第１脚部シート部と、前記幅方向に延びる帯状の第２脚部シート部とを備え、前記脚部シート部材が幅方向に拡げられた状態において、前記脚部シート部材の上部に、前記第１脚部シート部の前記幅方向の中央部である第１中央部と前記第２脚部シート部の前記幅方向の中央部である第２中央部とが連続する連続部が設けられ、前記第１中央部の前記幅方向の両側の部位である２つの第１側部が、前記第２脚部シート部と非連続であり、前記第２中央部の前記幅方向の両側の部位である２つの第２側部が、前記第１脚部シート部と非連続であり、前記幅方向に拡げられた前記第１脚部シート部および前記第２脚部シート部を、前記第１中央部および前記第２中央部の前記幅方向の中央にて前記第１脚部シート部を内側にして前記幅方向に２つ折りにし、さらに、前記第２脚部シート部の前記２つの第２側部をそれぞれ、前記幅方向に折り返すことにより前記脚部シート部材が形成され、前記第１脚部シート部の前記２つの第１側部が、前記第１外装シートの前記第１スリットの前記幅方向の一方側、および、前記第２外装シートの前記第２スリットの前記幅方向の前記一方側に固定され、前記第２脚部シート部の前記２つの第２側部が、前記第１外装シートの前記第１スリットの前記幅方向の他方側、および、前記第２外装シートの前記第２スリットの前記幅方向の前記他方側に固定される。
【発明の効果】
【００１６】
本発明では、トランクスタイプの吸収性物品の脚筒部を容易に形成することができる。
【図面の簡単な説明】
【００１７】
【図１】一の実施の形態に係る吸収性物品の斜視図である。
【図２】吸収性物品の正面図である。
【図３】吸収性物品の断面図である。
【図４】吸収性物品の断面図である。
【図５】脚部シート部材の斜視図である。
【図６】脚部シート部材の形成の流れを示す図である。
【図７】形成途上の脚部シート部材の平面図である。
【図８】形成途上の脚部シート部材の斜視図である。
【図９】形成途上の脚部シート部材の斜視図である。
【図１０】脚部シート部材の斜視図である。
【図１１】吸収性物品の製造の流れを示す図である。
【図１２】製造途上の吸収性物品の斜視図である。
【図１３】吸収性物品の斜視図である。
【図１４】吸収性物品の斜視図である。
【図１５】吸収性物品製造装置の構成を示す図である。
【図１６】吸収性物品の製造の流れを示す図である。
【図１７】脚部シート部材組立体の斜視図である。
【図１８】股下部材組立体の斜視図である。
【図１９】他の好ましい吸収性物品の斜視図である。
【図２０】他の好ましい脚部シート部材の斜視図である。
【図２１】形成途上の脚部シート部材の斜視図である。
【発明を実施するための形態】
【００１８】
図１は、本発明の一の実施の形態に係る吸収性物品１の斜視図である。吸収性物品１は、着用者からの排泄物を受けるトランクスタイプの使い捨ておむつである。吸収性物品１は、図１中の上側の端部である上端に胴部開口１１を有する。吸収性物品１は、また、図１中の下側の端部である下端に一対の脚部開口１２を有する。
【００１９】
図２は、吸収性物品１の正面図（すなわち、着用者の腹側に位置する部位の図）である。図１および図２に示すように、吸収性物品１は、胴筒部１５と、一対の脚筒部１６とを備える。一対の脚筒部１６は、胴筒部１５の下端から下方に拡がる。胴筒部１５の上端には、上述の胴部開口１１が形成される。各脚筒部１６の下端には、上述の脚部開口１２が形成される。
【００２０】
図３は、吸収性物品１の胴筒部１５を図２中のＡ−Ａの位置にて切断した断面図である。図４は、吸収性物品１の一対の脚筒部１６を図２中のＢ−Ｂの位置にて切断した断面図である。図１ないし図４に示すように、吸収性物品１は、外装シート４と、股下部材２とを備える。股下部材２は、外装シート４の内面（なわち、着用者側の面）に取り付けられて着用者からの排泄物を吸収する略シート状の吸収体である。
【００２１】
図２ないし図４に示すように、外装シート４は、第１外装シート４１と、第２外装シート４２と、脚部シート部材４３とを備える。第１外装シート４１は、着用者の後側（すなわち、背側の肌）を覆う略矩形シート状の部材である。第２外装シート４２は、着用者の前側（すなわち、腹側の肌）を覆う略矩形シート状の部材である。第１外装シート４１の幅方向の両側の側縁部４１０は、第２外装シート４２の幅方向の両側の側縁部４２０に、ヒートシール等により接合されて固定される。当該幅方向は、吸収性物品１が着用された状態における上下方向および前後方向に垂直な左右方向である。第１外装シート４１の側縁部４１０と第２外装シート４２の側縁部４２０とは、上下方向のおよそ全長に亘って互いに固定される。図１および図２に示すように、第１外装シート４１の上端部、および、第２外装シート４２の上端部には、幅方向に延びる胴部弾性部材４５が接合される。胴部弾性部材４５は、例えば、幅方向に長い帯状の部材である。
【００２２】
図２および図４に示すように、第２外装シート４２の幅方向の中央部には、第２外装シート４２の下端部から上方に延びる第２スリット４２１が設けられる。また、図４に示す第１外装シート４１においても同様に、第１外装シート４１の幅方向の中央部に、第１外装シート４１の下端部から上方に延びる第１スリット４１１が設けられる。
【００２３】
脚部シート部材４３は、幅方向に延びる帯状のシート部材である。脚部シート部材４３は、図２および図４に示すように、第１スリット４１１および第２スリット４２１と上下方向の位置を合わせて、第１外装シート４１と第２外装シート４２との間に固定される。第１外装シート４１の下端部、第２外装シート４２の下端部、および、脚部シート部材４３により、上述の一対の脚筒部１６が形成される。
【００２４】
図５は、脚部シート部材４３を示す斜視図である。図５に示すように、脚部シート部材４３は、第１脚部シート部４３１と、第２脚部シート部４３２とを備える。第１脚部シート部４３１および第２脚部シート部４３２は、それぞれ幅方向に延びる帯状のシート部である。第２脚部シート部４３２は、第１脚部シート部４３１と部分的に重なる。
【００２５】
図６は、脚部シート部材４３の形成の流れを示す図である。また、図７ないし図９は、形成途上の脚部シート部材４３を示す平面図または斜視図であり、図１０は脚部シート部材４３の斜視図である。脚部シート部材４３が形成される際には、まず、図７に示すように、略矩形状のシート部材４３９が準備される。シート部材４３９の幅方向の両側にはそれぞれ、スリット４３３が設けられる。各スリット４３３は、シート部材４３９の幅方向に垂直な方向（すなわち、図中の上下方向）の中央部において、幅方向に略平行に延びる。
【００２６】
続いて、シート部材４３９が、図８に示すように、２つのスリット４３３を含む折り畳み線４３４にて２つ折りにされることにより、中間部材（以下、「脚部シート中間部材４３０」という。）が準備される（ステップＳ１１）。折り畳み線４３４の両側の部位は、上述の第１脚部シート部４３１および第２脚部シート部４３２である。図８は、図５に示す脚部シート部材４３が幅方向に拡げられた状態を示す。図８では、折り畳み線４３４を上側にして、第１脚部シート部４３１を手前側に、第２脚部シート部４３２を奥側に描いている。それぞれが幅方向に延びる帯状の部位である第１脚部シート部４３１と第２脚部シート部４３２とは略同形状であり、互いに重なる。
【００２７】
折り畳み線４３４のうち、２つのスリット４３３の間の部位は、第１脚部シート部４３１の幅方向の中央部である第１中央部４３１ａと、第２脚部シート部４３２の幅方向の中央部である第２中央部４３２ａとが連続する連続部４３５である。図８では、連続部４３５を太い実線にて示す（図９および図１０においても同様）。連続部４３５は、脚部シート中間部材４３０の上側（すなわち、脚部シート部材４３の上側）に設けられる。第１脚部シート部４３１のうち、第１中央部４３１ａの幅方向の両側の部位である２つの第１側部４３１ｂは、折り畳み線４３４において第２脚部シート部４３２と非連続である。また、第２脚部シート部４３２のうち、第２中央部４３２ａの幅方向の両側の部位である２つの第２側部４３２ｂは、折り畳み線４３４において第１脚部シート部４３１と非連続である。換言すれば、互いに対向する第１側部４３１ｂと第２側部４３２ｂとは、折り畳み線４３４において連続していない。
【００２８】
次に、幅方向に拡げられた第１脚部シート部４３１および第２脚部シート部４３２が、図９に示すように、第１中央部４３１ａおよび第２中央部４３２ａの幅方向の略中央にて、第１脚部シート部４３１を内側にして幅方向に２つ折りにされる（ステップＳ１２）。そして、図１０に示すように、第２脚部シート部４３２の２つの第２側部４３２ｂがそれぞれ、対向する第１側部４３１ｂから離間して幅方向に折り返されることにより、脚部シート部材４３が形成される（ステップＳ１３）。
【００２９】
図４中の左側の脚筒部１６では、幅方向の内側（すなわち、図中の右側の部位）において、第１外装シート４１と第２外装シート４２とが、脚部シート部材４３の第２脚部シート部４３２の２つの第２側部４３２ｂにより接続される。また、図４中の右側の脚筒部１６では、幅方向の内側（すなわち、図中の左側の部位）において、第１外装シート４１と第２外装シート４２とが、脚部シート部材４３の第１脚部シート部４３１の２つの第１側部４３１ｂにより接続される。
【００３０】
図３に示すように、股下部材２は、トップシート２１と、吸収コア２２と、バックシート２３とを備える。吸収コア２２は、トップシート２１と、トップシート２１に積層されたバックシート２３との間に配置される。トップシート２１とバックシート２３とは、周縁部がホットメルト接着剤やヒートシール等により接合される。股下部材２のトップシート２１上には、トップシート２１から離れる方向に起立する一対の側壁部（いわゆる、立体ギャザー）が、幅方向の両側部に設けられてもよい。
【００３１】
股下部材２は、略矩形状であり、トップシート２１を内側にして長手方向（図１および図２中の上下方向）の中央部にて２つ折りにされる。股下部材２のバックシート２３が、外装シート４の第１外装シート４１および第２外装シート４２に接合されることにより、股下部材２が外装シート４に固定される。吸収性物品１が着用される際には、股下部材２は着用者の股間部に接する。
【００３２】
トップシート２１は、透液性のシート部材であり、着用者からの排泄物の水分を速やかに捕捉して吸収コア２２へと移動させる。トップシート２１は、例えば、表面を界面活性剤により親水処理した疎水性繊維（ポリプロピレン、ポリエチレン、ポリエステル、ポリアミド、ナイロン等）にて形成された透液性の不織布であり、当該不織布として、例えば、ポイントボンド不織布やエアスルー不織布、スパンボンド不織布が利用される。なお、トップシート２１として、セルロースやレーヨン、コットン等の親水性繊維により形成された不織布（例えば、スパンレース不織布）が利用されてもよい。
【００３３】
吸収コア２２は、トップシート２１を透過した水分を吸収して迅速に固定する。吸収コア２２は、例えば、粒状の高吸収性ポリマー（ＳＡＰ（Super Absorbent Polymer））や高吸収性ファイバー等の高吸収性材料を、２枚の透液性のシート部材の間に挟んで固定することにより形成される。吸収コア２２は、例えば、粉砕したパルプ繊維やセルロース繊維等の親水性繊維に粒状の高吸収性材料を混合したものをティッシュペーパーや透液性不織布等により包み込んで形成されてもよい。
【００３４】
バックシート２３は、撥水性または不透液性のシート部材であり、トップシート２１および吸収コア２２を透過した排泄物の水分等が股下部材２の外側にしみ出すことを防止する。バックシート２３としては、例えば、疎水性繊維にて形成された不織布（例えば、スパンボンド不織布やメルトブロー不織布、ＳＭＳ（スパンボンド・メルトブロー・スパンボンド）不織布）、プラスチックフィルム、あるいは、これらの不織布とプラスチックフィルムとが積層された積層シートが利用される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００３５】
外装シート４の第１外装シート４１および第２外装シート４２としては、例えば、バックシート２３と同様に、疎水性繊維にて形成された撥水性または不透液性の不織布やプラスチックフィルムが利用される。あるいは、これらの不織布とプラスチックフィルムとが積層された積層シートが、第１外装シート４１および第２外装シート４２として利用されてもよい。プラスチックフィルムとしては、透湿性（通気性）を有するものが利用されることが好ましい。また、第１外装シート４１および第２外装シート４２として、トップシート２１と同様に、親水性繊維により形成された不織布や親水処理した疎水性繊維にて形成された透液性の不織布が利用されてもよい。胴部弾性部材４５としては、例えば、帯状のポリウレタンフィルムや天然ゴム等が利用される。あるいは、ポリウレタン糸や糸状の天然ゴム等が、胴部弾性部材４５として利用されてもよい。
【００３６】
脚部シート部材４３としては、例えば、疎水性繊維にて形成された不織布が利用される。好ましくは、脚部シート部材４３は、伸縮シートである。第１外装シート４１および第２外装シート４２も、好ましくは、伸縮シートである。脚部シート部材４３、第１外装シート４１および第２外装シート４２は、例えば、通常の不織布よりも伸縮性が高い伸縮性不織布である。
【００３７】
脚部シート部材４３、第１外装シート４１および第２外装シート４２が伸縮シートである場合、脚部シート部材４３の伸縮性は、好ましくは、第１外装シート４１および第２外装シート４２の伸縮性よりも高い。換言すれば、脚部シート部材４３は、第１外装シート４１および第２外装シート４２よりも伸びやすい。なお、脚部シート部材４３、第１外装シート４１および第２外装シート４２は、一般的に伸縮性を有しないとみなされる程度に伸縮性が低い通常のシート部材であってもよい。
【００３８】
次に、吸収性物品１の製造方法について説明する。実際の吸収性物品１の製造では、長尺状のシート部材を利用して、複数の吸収性物品１が連続的に製造される。以下では、まず、１つの吸収性物品１に注目して当該吸収性物品１の製造方法について説明し、その後、複数の吸収性物品１の連続製造について説明する。
【００３９】
図１１は、吸収性物品１の製造の流れを示す図である。図１２は、製造途上の吸収性物品１の斜視図である。吸収性物品１の製造では、まず、上述のステップＳ１１〜Ｓ１３（図６参照）が行われることにより、脚部シート部材４３が準備される（ステップＳ２１）。換言すれば、ステップＳ２１はステップＳ１１〜Ｓ１３を備える。
【００４０】
続いて、長手方向の中央部の折り返し線２４にてトップシート２１（図３参照）を内側にして長手方向に２つ折りにされた股下部材２が準備される（ステップＳ２２）。また、吸収性物品１の第１外装シート４１になる予定の中間部材である第１シート部材５１が準備される（ステップＳ２３）。さらに、第２外装シート４２になる予定の中間部材である第２シート部材５２が準備される（ステップＳ２４）。実際には、第１シート部材５１および第２シート部材５２はそれぞれ、後述するように、長手方向に延びる長尺状のシート部材の一部である。なお、ステップＳ２１〜Ｓ２４が行われる順番は適宜変更されてよく、ステップＳ２１〜Ｓ２４のうちいずれかのステップまたは全てのステップが並行して行われてもよい。
【００４１】
図１２では、長手方向とは、第１シート部材５１に沿って図中の奥側から手前側に向かう方向である。以下の説明では、長手方向の一方側である図中の奥側を、単に「奥側」とも呼び、長手方向の他方側である図中の手前側を、単に「手前側」とも呼ぶ。当該長手方向は、吸収性物品１が着用された状態における上述の上下方向と一致し、上記奥側および手前側がそれぞれ、上側および下側に対応する。また、長手方向に垂直な幅方向の一方側である図中の右側を、単に「右側」とも呼び、幅方向の他方側である図中の左側を、単に「左側」とも呼ぶ。
【００４２】
第１シート部材５１は、略矩形シート状である。第１シート部材５１は、奥側（すなわち、長手方向の一方側）の端部と、手前側（すなわち、長手方向の他方側）の端部とを有する。第１シート部材５１の幅方向の中央部には、手前側の端部から延びる上述の第１スリット４１１が設けられる。第２シート部材５２は、第１シート部材５１とおよそ同形状の略矩形シート状である。第２シート部材５２は、第１シート部材５１と同様に、奥側の端部と、手前側の端部とを有する。第２シート部材５２の幅方向の中央部には、手前側の端部から延びる上述の第２スリット４２１が設けられる。
【００４３】
ステップＳ２１〜Ｓ２４が終了すると、２つ折りにされた股下部材２が、折り返し線２４を図中の手前側に向けて、第１シート部材５１と第２シート部材５２との間に配置される。股下部材２は、第１スリット４１１および第２スリット４２１よりも奥側に、第１スリット４１１および第２スリット４２１に重ならないように配置される。股下部材２は、ホットメルト接着剤等により第１シート部材５１および第２シート部材５２に固定される。
【００４４】
また、股下部材２の固定と並行して、第１スリット４１１と脚部シート部材４３と第２スリット４２１と長手方向の位置を合わせつつ、脚部シート部材４３が、第１シート部材５１と第２シート部材５２との間に配置される。そして、ホットメルト接着剤等により、脚部シート部材４３が第１シート部材５１および第２シート部材５２に固定される（ステップＳ２５）。
【００４５】
具体的には、脚部シート部材４３の第１脚部シート部４３１のうち２つの第１側部４３１ｂが、第１シート部材５１の第１スリット４１１の右側（すなわち、幅方向の一方側）の部位、および、第２シート部材５２の第２スリット４２１の右側の部位の間に配置され、当該部位にホットメルト接着剤等により固定される。また、第２脚部シート部４３２の２つの第２側部４３２ｂが、第１シート部材５１の第１スリット４１１の左側（すなわち、幅方向の他方側）の部位、および、第２シート部材５２の第２スリット４２１の左側の部位の間に配置され、当該部位にホットメルト接着剤等により固定される。脚部シート部材４３のうち第１脚部シート部４３１の第１中央部４３１ａおよび第２脚部シート部４３２の第２中央部４３２ａは、第１シート部材５１および第２シート部材５２に直接的に固定されない。
【００４６】
脚部シート部材４３は、第１スリット４１１の奥側の端部、および、第２スリット４２１の奥側の端部と重なる。換言すれば、脚部シート部材４３の奥側のエッジは、幅方向の中央部において、第１スリット４１１の奥側の端部、および、第２スリット４２１の奥側の端部よりも奥側に位置する。あるいは、脚部シート部材４３の奥側のエッジは、幅方向の中央部において、第１スリット４１１の奥側の端部、および、第２スリット４２１の奥側の端部と、長手方向における位置がおよそ一致する。脚部シート部材４３の手前側のエッジは、好ましくは、第１シート部材５１の手前側の端部、および、第２シート部材５２の手前側の端部と、長手方向における位置がおよそ一致する。
【００４７】
ステップＳ２５が終了すると、第１シート部材５１の幅方向の両側の側縁部５１０と、第２シート部材５２の幅方向の両側の側縁部５２０とが、例えば、ヒートシールにより互いに固定される（ステップＳ２６）。第１シート部材５１の側縁部５１０および第２シート部材５２の側縁部５２０はそれぞれ、図１３に示すように、第１外装シート４１の側縁部４１０および第２外装シート４２の側縁部４２０となる。ステップＳ２６により、図中の奥側に胴部開口１１が形成され、図中の手前側の幅方向両側に一対の脚部開口１２が形成され、吸収性物品１の製造が終了する。
【００４８】
吸収性物品１が着用される際には、胴部開口１１および一対の脚部開口１２が、図１４に示すように大きく拡げられる。このとき、脚部シート部材４３の第１脚部シート部４３１と第２脚部シート部４３２とは、連続部４３５を除いて幅方向の両側に離間する。これにより、幅方向に並ぶ２つの脚筒部１６が形成される。
【００４９】
吸収性物品１の実際の製造では、上述のように、長尺状のシート部材を利用して、複数の吸収性物品１が連続的に製造される。図１５は、複数の吸収性物品１を連続的に製造する吸収性物品製造装置８の構成を示す図である。以下の説明では、吸収性物品製造装置８の上流側である図１５中の上側を「奥側」と呼び、下流側である下側を「手前側」と呼ぶ。図１６は、吸収性物品製造装置８における吸収性物品１の製造の流れを示す図である。図１６中のステップＳ３１〜Ｓ３６は、図１１中のステップＳ２１〜Ｓ２６に対応する。すなわち、吸収性物品製造装置８において１つの吸収性物品１を形成する構成に着目すると、ステップＳ３１〜Ｓ３６はステップＳ２１〜Ｓ２６と同様である。
【００５０】
吸収性物品製造装置８では、まず、図１７に示すように、２つの脚部シート部材４３が長手方向に連続する脚部シート部材組立体４３ｃが準備される（ステップＳ３１）。図１７では、２つの脚部シート部材４３の境界を二点鎖線にて示す。脚部シート部材組立体４３ｃでは、太い実線にて示す連続部４３５が、図中の奥側および手前側において、幅方向の中央部に位置する。
【００５１】
図１５に示す吸収性物品製造装置８では、胴部開口１１（すなわち、着用時に上側となる部位）が図中の奥側（上側）を向く吸収性物品１と、胴部開口１１が図中の手前側（下側）を向く吸収性物品１とが、長手方向に交互に並んだ状態で製造される。したがって、以下の説明では、胴部開口１１が図中の奥側を向く吸収性物品１については、図中の奥側および手前側はそれぞれ、上述と同様に、長手方向の一方側および他方側に対応する。一方、胴部開口１１が図中の手前側を向く吸収性物品１については、図中の手前側および奥側がそれぞれ、長手方向の一方側および他方側に対応する。
【００５２】
例えば、図１７中の奥側の脚部シート部材４３では、図中の奥側に連続部４３５が設けられる。当該脚部シート部材４３は、図１５において胴部開口１１が奥側を向く吸収性物品１の一部となるため、連続部４３５は、長手方向の一方側において幅方向の中央部に位置する。また、図１７中の手前側の脚部シート部材４３では、図中の手前側に連続部４３５が設けられる。当該脚部シート部材４３は、図１５において胴部開口１１が手前側を向く吸収性物品１の一部となるため、連続部４３５は、長手方向の一方側において幅方向の中央部に位置する。
【００５３】
続いて、図１８に示すように、２つの股下部材２が長手方向に連続する股下部材組立体２ｃが準備される（ステップＳ３２）。股下部材組立体２ｃでは、２つの股下部材２のうち、図中の奥側の股下部材２が、長手方向の中央部にてトップシート２１を内側にして図中の手前側へと２つ折りにされている。また、図中の手前側の股下部材２は、長手方向の中央部にてトップシート２１を内側にして図中の奥側へと２つ折りにされている。図１８では、２つの股下部材２の境界を二点鎖線にて示す。図１８中の手前側の股下部材２は、図１５において胴部開口１１が奥側を向く吸収性物品１の一部となり、図１８中の奥側の股下部材２は、図１５において胴部開口１１が手前側を向く吸収性物品１の一部となる。
【００５４】
次に、図１５に示すように、複数の第１シート部材５１が長手方向に連続した長尺状のシート部材である第１連続シート部材５１ｃが準備される（ステップＳ３３）。また、複数の第２シート部材５２が長手方向に連続した長尺状のシート部材である第２連続シート部材５２ｃが準備される（ステップＳ３４）。第１連続シート部材５１ｃの幅方向の中央部には、２つの第１スリット４１１（図１２参照）が長手方向に連続する第１連続スリット４１１ｃが、断続的に設けられる。第２連続シート部材５２ｃの幅方向の中央部には、２つの第２スリット４２１（図１２参照）が長手方向に連続する第２連続スリット４２１ｃが、断続的に設けられる。なお、ステップＳ３１〜Ｓ３４が行われる順番は適宜変更されてよく、ステップＳ３１〜Ｓ３４のうちいずれかのステップまたは全てのステップが並行して行われてもよい。
【００５５】
吸収性物品製造装置８では、長手方向に搬送される第１連続シート部材５１ｃ上に、股下部材組立体２ｃおよび脚部シート部材組立体４３ｃが配置され、ホットメルト接着剤等により第１連続シート部材５１ｃに固定される。股下部材組立体２ｃは、長手方向において隣接する２つの第１連続スリット４１１ｃの間に配置される。脚部シート部材組立体４３ｃは、第１連続スリット４１１ｃに重ねて配置される。脚部シート部材組立体４３ｃは、第１連続スリット４１１ｃの長手方向の全長に亘って第１連続スリット４１１ｃに重なる。
【００５６】
脚部シート部材組立体４３ｃでは、各脚部シート部材４３の第１側部４３１ｂに対応する部位４３１ｄが、第１連続シート部材５１ｃの第１連続スリット４１１ｃの右側の部位に固定される。また、各脚部シート部材４３の第２側部４３２ｂに対応する部位４３２ｄが、第１連続シート部材５１ｃの第１連続スリット４１１ｃの左側の部位に固定される。
【００５７】
次に、第１接合部８１において、第２連続シート部材５２ｃが、股下部材組立体２ｃおよび脚部シート部材組立体４３ｃを間に挟んで第１連続シート部材５１ｃ上に重ねられる。第２連続シート部材５２ｃは、第２連続スリット４２１ｃと第１連続スリット４１１ｃとの長手方向の位置を合わせて、第１連続シート部材５１ｃ上に配置される。これにより、第１連続スリット４１１ｃと脚部シート部材組立体４３ｃと第２連続スリット４２１ｃとの長手方向の位置が合う。そして、股下部材組立体２ｃおよび脚部シート部材組立体４３ｃが、ホットメルト接着剤等により第２連続シート部材５２ｃに固定される。換言すれば、股下部材組立体２ｃ及び脚部シート部材組立体４３ｃが、第１連続シート部材５１ｃと第２連続シート部材５２ｃとの間に固定される（ステップＳ３５）。
【００５８】
脚部シート部材組立体４３ｃでは、各脚部シート部材４３の第１側部４３１ｂに対応する部位４３１ｄが、第２連続シート部材５２ｃの第２連続スリット４２１ｃの右側の部位に固定される。また、各脚部シート部材４３の第２側部４３２ｂに対応する部位４３２ｄが、第２連続シート部材５２ｃの第２連続スリット４２１ｃの左側の部位に固定される。
【００５９】
次に、第２接合部８２において、第１連続シート部材５１ｃの幅方向の両側の側縁部５１０ｃと、第２連続シート部材５２ｃの幅方向の両側の側縁部５２０ｃとが、例えば、ヒートシールにより互いに固定される（ステップＳ３６）。その後、切断部８３の幅方向に延びる切断刃（図示省略）により、脚部シート部材組立体４３ｃの長手方向中央において、第１連続シート部材５１ｃ、脚部シート部材組立体４３ｃおよび第２連続シート部材５２ｃが切断される。また、切断部８３の幅方向に延びる切断刃により、股下部材組立体２ｃの長手方向中央において、第１連続シート部材５１ｃ、股下部材組立体２ｃおよび第２連続シート部材５２ｃが切断される（ステップＳ３７）。これにより、胴部開口１１および一対の脚部開口１２を有する複数の吸収性物品１が連続的に製造される。
【００６０】
以上に説明したように、吸収性物品１は、第１外装シート４１、第２外装シート４２および脚部シート部材４３を備える。また、脚部シート部材４３は、第１脚部シート部４３１と、第２脚部シート部４３２とを備える。脚部シート部材４３を幅方向に拡げた状態では、脚部シート部材４３の上部に第１脚部シート部４３１の第１中央部４３１ａと第２脚部シート部４３２の第２中央部４３２ａが連続する連続部４３５が設けられる。また、第１脚部シート部４３１の２つの第１側部４３１ｂが第２脚部シート部４３２と非連続であり、第２脚部シート部４３２の２つの第２側部４３２ｂが第１脚部シート部４３１と非連続である。
【００６１】
脚部シート部材４３は、第１脚部シート部４３１および第２脚部シート部４３２を幅方向の中央部にて第１脚部シート部４３１を内側にして２つ折りにし、さらに、第２脚部シート部４３２の２つの第２側部４３２ｂをそれぞれ幅方向に折り返すことにより形成される（ステップＳ１１〜Ｓ１３）。脚部シート部材４３の２つの第１側部４３１ｂは、第１外装シート４１の第１スリット４１１の幅方向の一方側、および、第２外装シート４２の第２スリット４２１の幅方向の一方側に固定される。脚部シート部材４３の２つの第２側部４３２ｂは、第１外装シート４１の第１スリット４１１の幅方向の他方側、および、第２外装シート４２の第２スリット４２１の幅方向の他方側に固定される。そして、第１シート部材５１の両側の側縁部５１０と、第２シート部材５２の両側の側縁部５２０とが互いに固定されることにより、胴部開口１１および一対の脚部開口１２が形成される。
【００６２】
このように、吸収性物品１では、１つの脚部シート部材４３を利用して、比較的大きい一対の脚部開口１２を容易に形成することができる。その結果、脚筒部１６への脚の挿入を容易とすることができる。また、吸収性物品１を製造する際に、第１シート部材５１および第２シート部材５２の一部を切除して開口を形成する必要がないため、吸収性物品１の製造コストを低減することができる。さらに、股下部材２を当該開口に潜らせる必要もないため、股下部材２の幅が当該開口の幅により制限されることがない。したがって、股下部材２の幅を比較的に自由に決定することができる。換言すれば、吸収性物品１の設計の自由度を向上することができる。
【００６３】
上述の吸収性物品１の製造方法では、少数の部材（すなわち、第１外装シート４１、第２外装シート４２および脚部シート部材４３）を互いに接合することにより、トランクスタイプの吸収性物品１の一対の脚筒部１６を容易に形成することができる。また、トランクスタイプの吸収性物品１の構造を簡素化することができる。
【００６４】
外装シート４では、第１外装シート４１と第２外装シート４２とが幅方向の両側縁部にて接合され、幅方向の中央部には第１外装シート４１と第２外装シート４２との接合部（すなわち、第１シート部材５１と第２シート部材５２との接合部）が設けられない。このため、当該接合部が着用者に接して吸収性物品１の着用感が低下することを防止することができる。
【００６５】
脚部シート部材４３は、上述のように、好ましくは伸縮シートである。これにより、脚筒部１６への脚の挿入を、より容易とすることができる。吸収性物品１では、第１外装シート４１および第２外装シート４２も、好ましくは伸縮シートである。これにより、吸収性物品１を容易に装着することができる。また、脚筒部１６への脚の挿入をさらに容易とすることもできる。脚部シート部材４３、第１外装シート４１および第２外装シート４２が伸縮シートである場合、脚部シート部材４３の伸縮性は、好ましくは、第１外装シート４１および第２外装シート４２の伸縮性よりも高い。これにより、脚筒部１６への脚の挿入をより一層容易とすることができる。
【００６６】
ステップＳ２５では、脚部シート部材４３が、第１スリット４１１の長手方向の一方側の端部、および、第２スリット４２１の長手方向の一方側の端部と重なる。これにより、一対の脚筒部１６の間において、脚筒部１６の付け根部分に隙間（すなわち、吸収性物品１の内側と外側とを連通する穴）が形成されることを防止することができる。その結果、吸収性物品１の外観を良好なものとすることができる。
【００６７】
上述のように、ステップＳ１１では、脚部シート部材４３となる予定の脚部シート中間部材４３０は、１枚のシート部材４３９を折り畳み線４３４にて２つ折りにすることにより形成される。これにより、脚部シート部材４３を容易に準備することができる。
【００６８】
吸収性物品１では、図１９に示すように、一対の脚部開口１２の幅方向外側かつ図中の手前側（すなわち、上述の長手方向の他方側）の部位に、第１外装シート４１と第２外装シート４２とが非連続である一対の外スリット部４０が設けられてもよい。一対の外スリット部４０は、例えば、ステップＳ２６において第１外装シート４１の側縁部４１０と第２外装シート４２の側縁部４２０（図１３参照）とが接合された後、一対の脚部開口１２の幅方向外側の部位が、図中の手前側から所定の長さに亘って切除されることにより形成される。一対の外スリット部４０が設けられることにより、脚筒部１６への脚の挿入をさらに容易とすることができる。なお、一対の外スリット部４０は、ステップＳ２６において、第１外装シート４１の側縁部４１０と第２外装シート４２の側縁部４２０との接合の際に、外スリット部４０に対応する部位の接合を行わないことにより形成されてもよい。
【００６９】
吸収性物品１では、図１０に示す脚部シート部材４３に代えて、図２０に示す脚部シート部材４３ａが設けられてもよい。脚部シート部材４３ａでは、図２０中の上側（すなわち、上述の長手方向の一方側）のエッジ４３６が、幅方向の中央部において、図２０中の下側（すなわち、上記長手方向の他方側）に凸状に湾曲する。脚部シート部材４３ａを幅方向に拡げた状態では、図２１に示すように、幅方向の中央部において、脚部シート部材４３ａの上部に凹部４３７が形成される。凹部４３７のエッジは、第１脚部シート部４３１の第１中央部４３１ａと第２脚部シート部４３２の第２中央部４３２ａとが連続する連続部４３５である。図２０および図２１では、連続部４３５を太い実線にて示す。
【００７０】
図２０に示すように、接続部４３５が図中の下側に凸状に湾曲する脚部シート部材４３ａを使用して一対の脚筒部１６を形成することにより、一対の脚筒部１６の付け根近傍において、脚部シート部材４３ａの重なりを抑制して嵩を低くすることができる。これにより、吸収性物品１の着用感を向上することができる。
【００７１】
上記吸収性物品１の構造、および、吸収性物品１の製造方法は、様々な変更が可能である。
【００７２】
例えば、脚部シート中間部材４３０は、必ずしも１枚のシート部材４３９を２つ折りにすることにより形成される必要はない。脚部シート中間部材４３０は、例えば、互いに独立するシート部材である第１脚部シート部４３１と第２脚部シート部４３２とを、上側（すなわち、長手方向の一方側）のエッジの幅方向の中央部にてヒートシール等により接合して連続部４３５を設けることにより形成されてもよい。また、脚部シート中間部材４３０および脚部シート部材４３，４３ａは、上述の製造方法以外の方法により製造されてもよい。
【００７３】
ステップＳ２５では、脚部シート部材４３は、必ずしも、第１スリット４１１の長手方向の一方側（すなわち、図１２中の奥側）の端部、および、第２スリット４２１の長手方向の一方側の端部と重なるように接合される必要はない。例えば、脚部シート部材４３の長手方向の一方側のエッジは、第１スリット４１１および第２スリット４２１の長手方向の一方側の端部よりも、長手方向の他方側（すなわち、図１２中の手前側）に位置していてもよい。
【００７４】
股下部材２は、必ずしもトップシート２１、吸収コア２２およびバックシート２３を有する吸収体である必要はない。股下部材２は、例えば、吸収パッド等の吸収具が着脱可能に取り付けられる取付部であってもよい。この場合、股下部材２は、例えば、撥水性または不透液性のシートにより形成されたシート部材であり、吸収具を止着可能な面ファスナ、あるいは、吸収具の端部を被覆して吸収具のずれを制限する被覆ギャザーを備える。
【００７５】
上記実施の形態および各変形例における構成は、相互に矛盾しない限り適宜組み合わされてよい。
【符号の説明】
【００７６】
１    吸収性物品
１１    胴部開口
１２    脚部開口
４０    外スリット部
４１    第１外装シート
４２    第２外装シート
４３，４３ａ    脚部シート部材
５１    第１シート部材
５２    第２シート部材
４１０    （第１外装シートの）側縁部
４１１    第１スリット
４２０    （第２外装シートの）側縁部
４２１    第２スリット
４３０    脚部シート中間部材
４３１    第１脚部シート部
４３１ａ    第１中央部
４３１ｂ    第１側部
４３２    第２脚部シート部
４３２ａ    第２中央部
４３２ｂ    第２側部
４３５    連続部
５１０    （第１シート部材の）側縁部
５２０    （第２シート部材の）側縁部
Ｓ１１〜Ｓ１３，Ｓ２１〜Ｓ２６，Ｓ３１〜Ｓ３７    ステップ
【図１】
2015204864.tif 000003
【図２】
2015204864.tif 000004
【図３】
2015204864.tif 000005
【図４】
2015204864.tif 000006
【図５】
2015204864.tif 000007
【図６】
2015204864.tif 000008
【図７】
2015204864.tif 000009
【図８】
2015204864.tif 000010
【図９】
2015204864.tif 000011
【図１０】
2015204864.tif 000012
【図１１】
2015204864.tif 000013
【図１２】
2015204864.tif 000014
【図１３】
2015204864.tif 000015
【図１４】
2015204864.tif 000016
【図１５】
2015204864.tif 000017
【図１６】
2015204864.tif 000018
【図１７】
2015204864.tif 000019
【図１８】
2015204864.tif 000020
【図１９】
2015204864.tif 000021
【図２０】
2015204864.tif 000022
【図２１】
2015204864.tif 000023